(57)【要約】【課題】簡単な構造で、ＬＥＤ照明用基板の照射角度を任意に調整しかつたわみを確実に防止することができる、従来の長尺型蛍光灯の外形を有する長尺型ＬＥＤ照明器具を提供する。【解決手段】２つの口金１の間に、支持体２が口金１に対して回転可能に取り付けられ、かつ、２つの照明用基板３が、支持体２に平行な軸の周りに回転するように取り付けられる。支持体２には、保持線材１５が固定され、溝２６を有する固定部材１６が該保持線材１５の一部を挟んで照明用基板３に係止される。照明角度を調整する場合、支持体２と照明用基板３とを口金１に対して回転して照明角度を大まかに設定し、その後、２つの照明用基板３をそれぞれ支持体２に対して正確な照明角度まで回転して、保持線材１５と、溝２６と照明用基板３の背面で形成される貫通孔２７の内壁との間で生じる適切な摩擦力により該状態を保持する。【選択図】図２
2010257769.tif 000002
【特許請求の範囲】
【請求項１】
照明器具のソケットの差込孔に嵌め入れる装着用凸部を有する２つの口金を長手方向の両端にそれぞれ有しており、上記２つの口金の間に、複数の発光ダイオードが上記長手方向に沿って設けられている長尺型の照明方向可変照明装置であって、
上記２つの口金の間に、上記長手方向に平行な軸に対して回転可能に取り付けられている支持体と、
表面に上記複数の発光ダイオードが上記長手方向に沿って配置され、上記支持体の両端部で回転可能に支持される照明用基板と、
上記支持体の上記長手方向の途中に固定されており、上記長手方向と平行に伸びた上記照明用基板の回転軸部とを備えており、
上記照明用基板が上記回転軸部に回転可能に支持されていることを特徴とする照明方向可変照明装置。
【請求項２】
複数の上記照明用基板、それぞれの照明用基板に対応する複数の上記回転軸部を備えており、
上記複数の回転軸部は、同一の上記支持体にそれぞれ固定されていることを特徴とする請求項１に記載の照明方向可変照明装置。
【請求項３】
上記照明用基板が上記回転軸部に回転可能に支持されるように、上記回転軸部を保持する固定部品を更に備えており、
該固定部品は、樹脂により構成され、上記回転軸部を嵌め込むように上記長手方向に平行な方向に延びる溝を有し、
上記回転軸部は、金属製の線材により構成され、
上記回転軸部と、上記溝と上記照明用基板で形成された貫通孔の内壁との間で生じる摩擦力により、上記回転軸部に対して回転した上記照明用基板が回転後の位置で保持されることを特徴とする請求項１又は２に記載の照明方向可変照明装置。
【請求項４】
上記固定部品の照明用基板側の面には、上記溝に垂直な方向に延びる補強筋が設けられていることを特徴とする請求項３に記載の照明方向可変照明装置。
【請求項５】
上記口金を上記支持体に対して回転可能に取り付ける第１取付部材と、
上記支持体の両端で、上記照明用基板を上記支持体に対して回転可能に支持する第２取付部材とを備えることを特徴とする請求項１〜４のいずれか１項に記載の照明方向可変照明装置。
【請求項６】
上記固定部品は、係止構造により上記照明用基板に取り付けられることを特徴とする請求項３又は４に記載の照明方向可変照明装置。
【請求項７】
照明器具のソケットの差込孔に嵌め入れる装着用凸部を有する２つの口金を長手方向の両端にそれぞれ有しており、上記２つの口金の間に、複数の発光ダイオードが上記長手方向に沿って設けられている長尺型の照明方向可変照明装置であって、
上記２つの口金の間に、上記長手方向に平行な軸に対して回転可能に取り付けられている支持体と、
表面に上記複数の発光ダイオードが上記長手方向に沿って配置され、上記支持体の両端部で回転可能に支持される照明用基板と、
上記支持体の上記長手方向の途中に固定されており、上記長手方向と平行に伸びた上記照明用基板の回転軸部とを備えた照明方向可変照明装置を有する自動販売機。
【発明の詳細な説明】
【技術分野】
【０００１】
本発明は、発光ダイオードを光源とする照明方向可変照明装置に関し、特に、既存の長尺型蛍光灯器具のソケットに簡単に装着して使用可能な照明方向可変照明装置および該照明方向可変照明装置を備えた自動販売機に関するものである。
【背景技術】
【０００２】
従来から、照明器具として白熱球が広く使われていたが、発光効率が低くかつ寿命が短いため、近年は、白熱球より発光効率が高くて長寿命の蛍光灯が注目されている。現在、エネルギー消耗を減少して地球温暖化を防ぐ観点から、「電力消費が多く短寿命である白熱球」から、白熱球のソケットをそのまま使用して点灯可能とする「電球形蛍光灯」への置き換えを促す動きが世界的に広がっている。しかし、蛍光灯は、「環境負荷物質である水銀を含む」といったデメリットがある。
【０００３】
これに対し、照明分野において、現在、「発光効率の向上」、「高出力化」および「長寿命」に加え、環境に悪影響を及ぼさない発光ダイオード（ＬＥＤ）が「第４の光源」として注目されている。将来的に、白熱球および蛍光灯などの従来光源から、ＬＥＤ照明装置への置き換えが進んでいくものと考えられている。したがって、白熱球および蛍光灯などの従来光源のＬＥＤへの置き換えについて、従来の白熱球のソケットまたは蛍光灯器具のソケットへの装着が可能である、白熱球型または蛍光灯型のＬＥＤ照明器具が開発されている。
【０００４】
一方、ＬＥＤは、点光源で発光して指向性があるため、従来の白熱球や蛍光灯のように円周方向に均一な配光とするには向いていないが、局所的に照明することにより、効率良く対象物を照明することが可能である。しかし、ＬＥＤは照明方向を一旦設定してしまうと変更することが事実上不可能であり、照明する対象物の位置が移されたり、対象物自体が変わったりなどの場合に対象物を効率良く照明することができない場合がある。その場合、対象物の照度を維持するために照明器具の投入電力を増大させるか、もしくは照明器具自体を所望の照明角度に適したものに交換しなければならなくなり、汎用性が低くなるという問題がある。
【０００５】
したがって、上述のＬＥＤを使用した照明器具は、照明角度を任意に調整できることが求められている。以下の特許文献には、このような技術が開示されている。
【０００６】
特許文献１には、ＬＥＤ照明用基板が複数設けられており、照明角度を個々に調整する技術が記載されている。
【０００７】
特許文献２には、透明円筒パイプの両端に２つの端部パイプを設け、該透明円筒パイプと端部パイプとを相互に回転することにより、透明円筒パイプに取り付けられたＬＥＤ基板の照明角度を任意に調整する技術が記載されている。
【先行技術文献】
【特許文献】
【０００８】
【特許文献１】特開２００７−１２２９３３（平成１９年５月１７日公開）
【特許文献２】特開２００７−１２３２２（平成１９年１月１８日公開）
【発明の概要】
【発明が解決しようとする課題】
【０００９】
しかしながら、特許文献１の技術によると、従来の蛍光灯よりも外形が大きい構造になるため、従来の円筒形などの蛍光灯灯具への装着が困難になるとともに、ＬＥＤ照明用基板の両端部のみの固定であるため、長尺型の蛍光灯の場合、ＬＥＤ照明用基板の中心部の保持強度が著しく不足し、該中心部にたわみまたはねじれが発生する恐れが生じ、最悪の場合、機器破損／不点灯を引き起こす可能性もある。
【００１０】
また、特許文献２の技術によると、ＬＥＤ基板の照明角度を調整するため、端部パイプ、プランジャおよび金属ボールなどを必要とし、角度調整機構が非常に複雑である。また、ＬＥＤ照明用基板は、１つの一体の基板で形成されており、複数のＬＥＤ照明用基板を備えて、複数の対象物を同時に効率良く照射する用途には不向きである。
【００１１】
本発明は、上述の従来技術の問題を鑑みてなされたものであり、１つまたは複数の長尺型ＬＥＤ照明用基板を備える照明方向可変照明装置において、簡単な構造で、個々のＬＥＤ照明用基板の照射角度を任意に調整し、かつ、長尺型ＬＥＤ照明用基板にたわみが発生することを確実に防止して充分な強度を確保するとともに、ＬＥＤ照明用基板の回転を従来の長尺型蛍光灯の外形内に抑えて従来の蛍光灯器具に直接置き換え可能とする照明方向可変照明装置を提供することを目的としている。
【課題を解決するための手段】
【００１２】
上記の課題を解決するために、本発明は、照明器具のソケットの差込孔に嵌め入れる装着用凸部を有する２つの口金を長手方向の両端にそれぞれ有しており、上記２つの口金の間に、複数の発光ダイオードが上記長手方向に沿って設けられている長尺型の照明方向可変照明装置であって、上記２つの口金の間に、上記長手方向に平行な軸に対して回転可能に取り付けられている支持体と、表面に上記複数の発光ダイオードが上記長手方向に沿って配置され、上記支持体の両端部で回転可能に支持される照明用基板と、上記支持体の上記長手方向の途中に固定されており、上記長手方向と平行に伸びた上記照明用基板の回転軸部とを備えており、上記照明用基板が上記回転軸部に回転可能に支持されていることを特徴とする照明方向可変照明装置を提供する。
【００１３】
これにより、本発明の照明方向可変照明装置は、上記２つの口金の間に、上記長手方向に平行な軸に対して回転可能に取り付けられている支持体と、表面に上記複数の発光ダイオードが上記長手方向に沿って配置され、上記支持体の両端部で回転可能に支持される照明用基板と、上記支持体の上記長手方向の途中に固定されており、上記長手方向と平行に伸びた上記照明用基板の回転軸部とを備えており、上記照明用基板が上記回転軸部に回転可能に支持されているため、簡単な構造で、照明用基板の照射角度を任意に調整し、かつ、長尺型の照明用基板にたわみを確実に防止することができる。また、長尺型の照明用基板の回転が従来の長尺型蛍光灯の外形内に抑えることにより本発明の照明方向可変照明装置を従来の蛍光灯と直接置き換えることができ、汎用性が向上する。
【００１４】
また、上記照明方向可変照明装置は、複数の上記照明用基板、それぞれの照明用基板に対応する複数の上記回転軸部を備えており、上記複数の回転軸部は、同一の上記支持体にそれぞれ固定されていることが好ましい。
【００１５】
これにより、複数の照明用基板の照明角度を別々に回転調整できて、複数の場所を効率よく照射することができる。
【００１６】
また、上記照明方向可変照明装置において、上記照明用基板が上記回転軸部に回転可能に支持されるように、上記回転軸部を保持する固定部品を更に備えており、該固定部品は、樹脂により構成され、上記回転軸部を嵌め込むように上記長手方向に平行な方向に延びる溝を有し、上記回転軸部は、金属製の線材により構成され、上記回転軸部と、上記溝と
上記照明用基板で形成された貫通孔の内壁との間で生じる摩擦力により、上記回転軸部に対して回転した上記照明用基板が回転後の位置で保持されることが好ましい。
【００１７】
これにより、上記回転軸部をステンレスなどの金属製の線材により形成することで、その保持強度を確実に保つことができる。また、上記貫通孔の内壁と上記回転軸部との摩擦力により照明用基板の回転位置を保持する場合、樹脂などからなる固定部品との間で摩擦力をより確実に生じて、照明用基板をある照明角度の位置で容易に保持することができる。
【００１８】
また、上記照明方向可変照明装置は、上記固定部品の照明用基板側の面に、上記溝に垂直な方向に延びる補強筋が設けられていることが好ましい。
【００１９】
これにより、固定部品に上記溝に垂直な方向の補強筋を設けて、長尺型の照明用基板をより確実に支持することができる。
【００２０】
また、上記照明方向可変照明装置は、上記口金を上記支持体に対して回転可能に取り付ける第１取付部材と、上記支持体の両端で、上記照明用基板を上記支持体に対して回転可能に支持する第２取付部材とを備えることが好ましい。
【００２１】
これにより、支持体の回転と照明用基板の回転とをそれぞれ確実に行うことができ、支持体の回転角度を大まかに設定した後、照明用基板の回転角度を正確に設定することができる。
【００２２】
また、上記照明方向可変照明装置において、上記固定部品は、係止構造により上記照明用基板に取り付けられることが好ましい。
【００２３】
これにより、簡単な構造で、上記固定部品の照明用基板への取り付けを実現することができる。
【００２４】
また、本発明は、照明器具のソケットの差込孔に嵌め入れる装着用凸部を有する２つの口金を長手方向の両端にそれぞれ有しており、上記２つの口金の間に、複数の発光ダイオードが上記長手方向に沿って設けられている長尺型の照明方向可変照明装置であって、上記２つの口金の間に、上記長手方向に平行な軸に対して回転可能に取り付けられている支持体と、表面に上記複数の発光ダイオードが上記長手方向に沿って配置され、上記支持体の両端部で回転可能に支持される照明用基板と、上記支持体の上記長手方向の途中に固定されており、上記長手方向と平行に伸びた上記照明用基板の回転軸部とを備えた照明方向可変照明装置を有する自動販売機を提供する。
【００２５】
これにより、本発明の自動販売機は、上記照明方向可変照明装置を有するため、配置する場所により上方の商品サンプルのみ照射、上下の商品サンプルを照射、下方の商品サンプルのみ照射と使い分けられ、少数の機種で多様な使い方が可能となる。
【発明の効果】
【００２６】
本発明において、照明方向可変照明装置は、２つの口金の間に、長手方向に平行な軸に対して回転可能に取り付けられている支持体と、表面に複数の発光ダイオードが長手方向に沿って配置され、支持体の両端部で回転可能に支持される照明用基板と、支持体の長手方向の途中に固定されており、長手方向と平行に伸びた照明用基板の回転軸部とを備えており、照明用基板が回転軸部に回転可能に支持されていることを特徴とする。
【００２７】
これにより、本発明の照明方向可変照明装置は、簡単な構造で、照明用基板の照射角度
を任意に調整し、かつ、長尺型の照明用基板にたわみを確実に防止することができる。また、長尺型の照明用基板の回転が従来の長尺型蛍光灯の外形内に抑えることにより本発明の照明方向可変照明装置を従来の蛍光灯と直接置き換えることができ、汎用性が向上する。
【００２８】
また、本発明の自動販売機は、上記照明方向可変照明装置を有するため、配置する場所により上方の商品サンプルのみ照射、上下の商品サンプルを照射、下方の商品サンプルのみ照射と使い分けられ、少数の機種で多様な使い方が可能となる。
【図面の簡単な説明】
【００２９】
【図１】照射方向可変のＬＥＤ照明灯の完成概略図である。
【図２】上記ＬＥＤ照明灯の１つの端部から中心部分近傍までの分解概略図である。
【図３】上記ＬＥＤ照明灯における２つの照明用基板の照射方向を０°の向き（同方向）に調整した場合の、照射方向可変のＬＥＤ照明灯（図９に示す状態に対応する）の背面図である。
【図４】図３における点線に囲まれた部分の拡大図である。
【図５】上記ＬＥＤ照明灯における２つの照明用基板の照射方向を互いに１８０°の向き（反対方向）に調整した場合の縦断面である。
【図６】図５に示す場合の上記ＬＥＤ照明灯の一端部の近傍の外観図である。
【図７】上記ＬＥＤ照明灯における２つの照明用基板の照射方向を互いに９０°の向き（反対方向にそれぞれ４５°回転）に調整した場合の縦断面である。
【図８】図７に示す場合の上記ＬＥＤ照明灯の一端部の近傍の外観図である。
【図９】上記ＬＥＤ照明灯における２つの照明用基板の照射方向を０°の向き（同方向）に調整した場合の縦断面である。
【図１０】図９に示す場合の上記ＬＥＤ照明灯の一端部の近傍の外観図である。
【図１１】自動販売機において、ダミー商品を上下から照らして、視認性を向上させる応用例を示す概略図である。
【図１２】１つの照明用基板を備えるＬＥＤ照明灯の概略図である。
【図１３】３つの照明用基板を備えるＬＥＤ照明灯の概略図である。
【発明を実施するための形態】
【００３０】
以下、本発明の実施の形態について、添付の図面を参照しながら、詳細に説明する。
【００３１】
図１は、照射方向可変のＬＥＤ照明灯１００の完成概略図である。図１に示すように、本発明のＬＥＤ照明灯１００は、円筒状の長尺型パイプ（図５に示すパイプ２０を参照）と、該長尺型パイプの両端に設けられる口金１，１と、上記口金１，１の間で上記長尺型パイプの長手方向に沿って設けられる支持体２と、該支持体２に回転可能に支持されている照明用基板３，３とを備えている。
【００３２】
図２は、ＬＥＤ照明灯１００の一端部から中心部分の近傍までの分解概略図である。図２に示すように、支持体２と口金１は、アングル８を介して連結される。アングル８は、ＬＥＤ照明灯１００が組み立てられた場合（図１の場合）に上記円筒状の長尺型パイプのほぼ中心軸に対応する位置に設けられる支持体回転用ネジ孔８１と、該支持体回転用ネジ孔８１の両側で上記照明用基板３，３の回転軸に対応する位置に設けられる照明用基板回転用ネジ孔８２，８２と、上記支持体２とアングル８を相対的に固定するための支持体固定用ネジ孔８３，８３，８３，８３とを有する。
【００３３】
このように構成されるアングル８には、口金１が座金９を介して回転可能に取り付けられる。具体的には、アングル８の支持体回転用ネジ孔８１には、主回転ビス１０が取り付けられる。さらに、口金１は、主回転ビス１０を口金１のネジ孔に挿通させることにより
アングル８に取り付けられる。座金９は、口金１とアングル８との間に、主回転ビス１０が挿通された状態で配置されている。したがって、組み立てられた状態で、アングル８とこれに固定された支持体２が、主回転ビス１０を回転軸として口金１に対して相互に回転することになる。
【００３４】
ここで、口金１は蛍光灯照明器具のソケットの差込孔に嵌め入れる装着用凸部１１を保持するもので、上述のように、支持体２に対して回転可能なようになっている。口金１が支持体２に対して回転可能である場合、装着用凸部１１を蛍光灯のソケットに差込んだとき、口金１は固定されるが、口金１に対して支持体２を回転させることが可能となる。なお、ソケットは通常の蛍光灯における使用と異なり、ＬＥＤ照明灯１００への電源の供給を行う必要はなく、ＬＥＤ照明灯１００の保持部として機能している。
【００３５】
また、照明用基板３は、ＬＥＤ基板４が筐体５にビス止めされて形成される。ＬＥＤ基板４の筐体５と反対側の面には、複数のＬＥＤ６と、ＬＥＤ６に流す電流を制限するためＬＥＤ点灯回路に一般的に用いられる複数のチップ抵抗７とが、ＬＥＤ基板４の長手方向に沿って間隔をおいて配置される。
【００３６】
ここで、図示しないが、ＬＥＤを駆動する駆動回路がＬＥＤ基板４の筐体５側の面に設けられることができる。また、図１では、ＬＥＤ基板４が３つの基板に分けられているが、これが一体の基板になっても良いし、２つまたは４つ以上の基板に分けられていても良い。
【００３７】
また、照明用基板３における筐体５の長手方向の両端には、上記アングル８の照明用基板回転用ネジ孔８２と対応する位置にネジ孔５１が設けられている。ＬＥＤ照明灯１００を組み立てる場合、副回転ビス１２を順に照明用基板回転用ネジ孔８２とネジ孔５１とを挿通させる。したがって、ＬＥＤ基板４が取り付けられた筐体５は、副回転ビス１２により上記支持体２と平行な方向の仮想的な軸の回りに回転自在となるようにアングル８に対して支持される。これにより、アングル８と支持体２に対する照明用基板３の回転角度を調整することができる。
【００３８】
上述のように構成されるＬＥＤ照明灯１００は、照明用基板３が両端の副回転ビス１２のみにより支持されているため、長尺型の照明用基板３が照射部中心付近のたわみに発生し、最悪の場合、機器破損／不点灯を引き起こす恐れがある。しかし、以下に図２〜４を参照しながら説明するたわみ防止構造により、照明用基板３は変形することなく支持されるようになる。
【００３９】
図３は、ＬＥＤ照明灯１００における２つの照明用基板３（または筐体５）の照射方向を０°の向き（同方向）に調整した場合の、ＬＥＤ照明灯１００（以下の図７に示す状態に対応する）の背面図である。図４は、図３中の点線に囲まれたたわみ防止構造の拡大図である。
【００４０】
図２〜４に示すように、本発明のたわみ防止構造は、保持線材１５と固定部材１６を含む。
【００４１】
保持線材１５は、金属線の四角形の枠を、対向する２つの軸部１９のそれぞれの付近で同方向に曲げて、側面から見て「П」になるように形成される。支持体２には、該保持線材１５の上記軸部１９を除いた他の軸部を支持体２に固定するための保持線材固定部１３が設けられている。該保持線材１５が保持線材固定部１３に固定される場合、保持線材１５の上記軸部１９は、支持体２の長手方向に対向する２つの照明用基板回転用ネジ孔８２を結ぶ直線（仮想的な軸）に重なる箇所に位置される。
【００４２】
固定部材１６は、保持線材１５における上記軸部１９（照明用基板３の回転軸部）と嵌合するための長手方向の溝１８、および筐体５における凹部１４と係止することで筐体５に取り付けられるための凸部１７を備える。また、固定部材１６の強度をさらに向上させるため、該固定部材１６の照明用基板３側の面に、上記溝１８に垂直な方向に延びる補強筋を複数配置される。
【００４３】
このようなたわみ防止構造を取り付ける場合、まず、保持線材１５の上記軸部１９を除いた他の軸部を支持体２の保持線材固定部１３に嵌め込んで固定する。次に、保持線材１５における上記軸部１９のいずれか一方を上記固定部材１６の溝１８に嵌め込まれるように挟んで、固定部材１６の凸部１７を筐体５の凹部１４に係止する。このように取り付けられた照明用基板３を上記対向する軸部１９のいずれか一方をその回転軸として任意の角度に回転した場合、保持線材１５と、上記固定部材１６が筐体５の背面に当接した状態で上記溝１８と筐体５の背面とで形成された貫通孔２７（図４を参照）の内壁との適当な摩擦力により、該状態が保持される。
【００４４】
実際に、本照明の照明器具を使用するとき、口金１の装着用凸部１１を差込孔に差込むことで口金１の向きが固定され、その状態で、支持体２を口金１に対して回転することで大まかな向きを調整し、最後に照明用基板３を支持体２に対して回転して照明方向を確実に調整することになる。
【００４５】
これにより、照明用基板３は、該たわみ防止構造により、長手状の照明用基板の中間部のたわみを確実に防止するとともに、照明用基板３の支持体２に対する回転軸を照明用基板３の両端における回転軸（支持体２の長手方向に対向する２つの照明用基板回転用ネジ孔８２を結ぶ直線）と一致させることで、照明用基板３の確実な回転を保つこともできる。また、本発明によると、特許文献２などの従来技術に対して、部品点数を大幅に増やすことなく、簡易な構造でたわみ防止を図ることが可能となる。
【００４６】
ここで、固定部材１６の代りに回転軸を取り付けたアングルを長手方向の途中に設けても、たわみおよびねじれを防止することが可能である。しかし、この場合、照明用基板が途切れるため、照明装置の途中が暗くなってしまう。また、部品点数が増大してコストアップし、かつ、照明本体が途切れることにより強度低下が懸念される。
【００４７】
以下に、上記構成を有するＬＥＤ照明灯の応用例について説明する。
【００４８】
上記ＬＥＤ照明灯は、その２つの照明用基板３のお互いの照明角度を任意に調整することができる。
【００４９】
たとえば、図５は、ＬＥＤ照明灯１１０における２つの照明用基板３の照射方向を互いに１８０°の向き（反対方向）に調整した場合の縦断面である。図６は、図５に示す場合のＬＥＤ照明灯１１０の一端部の近傍の外観図である。ここで、符号２０は、ＬＥＤ照明灯の外形を決めるパイプを指す。
【００５０】
また、図７は、ＬＥＤ照明灯１２０における２つの照明用基板３の照射方向を互いに９０°の向き（反対方向にそれぞれ４５°回転）に調整した場合の縦断面である。図８は、図７に示す場合のＬＥＤ照明灯１２０の一端部の近傍の外観図である。
【００５１】
また、図９は、ＬＥＤ照明灯１３０における２つの照明用基板３の照射方向を０°の向き（同方向）に調整した場合の縦断面である。図１０は、図９に示す場合のＬＥＤ照明灯１３０の一端部の近傍の外観図である。
【００５２】
したがって、本実施の形態に係るＬＥＤ照明灯を、たとえば、図１１に示すように、自動販売機２００でダミー缶およびＰＥＴボトル等のダミー商品３００を照らす蛍光灯の代わりに使用することができる。
【００５３】
図１１に示す自動販売機２００において、上段部のダミー商品３００を照らす場合は図９，１０の照射方向にて（ＬＥＤ照明灯１３０）下方向を、中段部の場合は図５，６の照射方向にて（ＬＥＤ照明灯１１０）上下方向を、下段部の場合は図９,１０の照射方向に
て（ＬＥＤ照明灯１３０）上方向を照明することができる。
【００５４】
これにより、従来蛍光灯と比較し、効率良くダミー商品を照らすことが可能となり、省エネルギーを図ることが可能となる。また、本実施の形態による構造の場合、従来の蛍光灯の円筒型の外形内で照射部回転が抑える可能のため、自動販売機という限られたスペース内でも充分に収納可能である。
【００５５】
また、上述の説明において、ＬＥＤ照明灯１００は、照明用基板３を２つ備えているが、本発明は、図１２、図１３に示すように、照明用基板３を１つまたは３つ備える場合にも適用できる。
【００５６】
これらの場合、図２に示す構造から、１つの照明用基板３と、該照明用基板３を装着および回転するための構成とを省略するか、または、もう１つの照明用基板３を追加するに適当な構造を追加すれば良い。
【００５７】
図１２、図１３に示す構造により、照明用基板３を２つ備える場合と同じように、簡単な構造で、長尺型の照明用基板３のたわみおよびねじれを確実に防止するとともに、照明角度を任意の角度に調整することができる。また、図１２，１３において点線はＬＥＤ照明灯１００のパイプの外形を示しているが、照明用基板３の回転が該外形に収められることにより、従来の蛍光灯と同じスペースに設置することができ、汎用性が良いという効果も奏する。また、図１３に示す構造を備える蛍光灯を天井に取り付けると、照らす必要の無い天井側には光源を向けず、床面側を広く照らすことができる。
【００５８】
以下、本発明のＬＥＤ照明灯１００の各部材の材料などについて説明する。
【００５９】
口金１は、本体部がＰＯＭ（ポリアセタール樹脂）／ＡＢＳ樹脂／ＰＣ（ポリカーボネート樹脂）等の絶縁樹脂により形成され、装着用凸部１１が真鍮／ステンレス等の金属により形成されることができる。
【００６０】
支持体２と筐体５は、アルミ材により形成されることができる。これは、ＬＥＤの放熱の効率化及び軽量化を図るためである。これに対し、強度を向上させる目的では、鋼板／ステンレス等を使用することもできるが、ＬＥＤ照明灯が重くなりやすい。
【００６１】
アングル８は、強度確保のため鋼板／ステンレス等の金属により形成されることができる。
【００６２】
保持線材１５は、保持強度の確保のため、ステンレス等の金属により形成されることができる。
【００６３】
固定部材１６は、照明用基板３のたわみなどを確実に防止し、かつ、保持線材１５を筐体５に確実に取り付けて、保持線材１５を軸にしてスムーズに回転可能にするため、多少複雑な形状に形成する必要があるが、ＰＯＭ／ＡＢＳ／ＰＣ等の樹脂により形成されるこ
とが好ましい。
【００６４】
また、本実施の形態において、「長尺」とは、一般的に蛍光灯の長さで規格５８０／６３０／８３０／１０００／１１９８／１６５０ｍｍ等を意味するがこれに限られない。すなわち、円形または蛍光灯スタンド等に使用する折れ曲がった形でなく、直管型の蛍光灯の全てを長尺の形のものをいう。
【００６５】
また、本実施の形態において、「装着用凸部」は電極を兼ねても良いが、別の電源から照明用基板に電力を供給しても良い。
【００６６】
また、本実施の形態において、支持体２とアングル８は別々の部材になっているが、両端がアングル構造になった支持体を使用しても良い。または、アングルに限らず、支持体の外側に設けられるもので支持する構造体であれば何でも良い。
【００６７】
また、本実施の形態において、上記長尺型のパイプは、透明若しくは半透明であるか、または、一部が透明若しくは半透明である。
【００６８】
また、本実施の形態において、ＬＥＤ照明器具に使用しているが、照明方向が変更可能な他の照明器具（たとえば、普通の蛍光灯）の一般の照明用途に使用して、照明方向の簡単な変更およびたわみの防止を図ることができる。
【００６９】
以上のように、照明器具取り付け部である口金１に対して照明用基板を任意の角度に調整可能である。これにより、様々な状況で効率よく対象物を照明でき、照明器具の低消費電力化（省エネルギー）を図ることが可能になるとともに、構造全体がコンパクトで汎用性が高く、且つ、たわみ防止も確実に図る照明器具を提供することが可能となる。
【００７０】
本発明は、上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【００７１】
本発明は、蛍光灯器具を取り替えることが可能なＬＥＤ照明器具として利用することができる。
【符号の説明】
【００７２】
１  口金
２  支持体
３  照明用基板
４  ＬＥＤ基板
５  筐体
６  ＬＥＤ
７  チップ抵抗
８  アングル
９  座金
１０  主回転ビス（第１取付部材）
１１  装着用凸部
１２  副回転ビス（第２取付部材）
１３  保持線材固定部
１４  凹部（係止構造）
１５  保持線材（保持部品）
１６  固定部材（固定部品）
１７  凸部（係止構造）
１８  溝
１９  軸部（回転軸部）
２０  パイプ
２７  貫通孔
１００，１１０，１２０，１３０  ＬＥＤ照明灯（照明方向可変照明装置）
２００  自動販売機
３００  ダミー商品
【図１】
2010257769.tif 000003
【図２】
2010257769.tif 000004
【図３】
2010257769.tif 000005
【図４】
2010257769.tif 000006
【図５】
2010257769.tif 000007
【図６】
2010257769.tif 000008
【図７】
2010257769.tif 000009
【図８】
2010257769.tif 000010
【図９】
2010257769.tif 000011
【図１０】
2010257769.tif 000012
【図１１】
2010257769.tif 000013
【図１２】
2010257769.tif 000014
【図１３】
2010257769.tif 000015